(57)【要約】      （修正有）【課題】空手等の武道競技に使用しても競技者が酸欠状態に陥ることを防止でき、競技動作に支障を来すことなく、飛沫感染を防止することができる飛沫防止具を実現する。【解決手段】飛沫防止具１００は、外鼻孔および口の周囲を覆って呼吸空間を区画形成するシールド部材１０と、シールド部材１０の両側面に後方下部に向けて形成された凸部２０と、凸部２０の延出端部に開口された通気孔と、シールド部材１０を顔面下部に装着固定するための結束部材６１、６２と、を備える。凸部２０はシールド部材１０の両側面に複数形成され、各凸部２０の延出端部には通気孔が開口されている。凸部２０内には、通気孔を塞ぎ、柔軟性及び通気性を有するフィルターが装着される。【選択図】図１
0003234736.tif 000002
【実用新案登録請求の範囲】
【請求項１】
外鼻孔および口の周囲を覆って呼吸空間を区画形成するシールド部材と、
前記シールド部材の両側面に後方下部に向けて形成された凸部と、
前記凸部の延出端部に開口された通気孔と、
前記シールド部材を顔面に装着固定するための結束部材と、
を備えることを特徴とする、飛沫防止具。
【請求項２】
前記凸部は前記シールド部材の両側面に複数形成され、
各凸部の延出端部には前記通気孔が開口されている、請求項１に記載の飛沫防止具。
【請求項３】
前記凸部は前記シールド部材の両側面の前方上部から後方下部に向けて延出され、
前記前方上部から前記後方下部に向けて、幅及び高さが順次拡大している、請求項１または請求項２に記載の飛沫防止具。
【請求項４】
前記凸部内には、前記通気孔を塞ぎ、柔軟性及び通気性を有するフィルターが装着される、請求項１から３のいずれか一項に記載の飛沫防止具。
【請求項５】
前記シールド部材の鼻接触部および顎接触部には、クッション部材が装着される、請求項１から４のいずれか一項に記載の飛沫防止具。
【考案の詳細な説明】
【技術分野】
【０００１】
本考案は、空手道等の武道競技における飛沫感染防止に適した飛沫防止具に関する。
【背景技術】
【０００２】
近年、新型コロナウィルス感染症の感染拡大の影響により、人々は感染予防対策を余儀なくされている。新型コロナウィルスの感染対策としては、ソーシャルディスタンスの確保や手洗いの徹底の他、マスクの着用が推奨されている。特に医療現場においては、飛沫感染防止対策として、マスクの着用に加えて、フェイスシールドが着用されている。
【０００３】
特許文献１には、シート、フレーム、及び固定部材を有し、前記フレームと前記固定部材とで、前記シートの両端部が挟持されたフェイスシールドであって、前記シートは、反射防止層、ハードコート層、基材層、ハードコート層、及び反射防止層をこの順に有するファイスシールドが提案されている。このフェイスシールドによれば、フェイスシールドのシート表面に光が反射することにより使用者の顔の表情がわかりにくくなるのを防ぐとともに、シート裏面からの光の映り込みが視界に入ることにより使用者の目が疲れるのを防ぐことができる。
【先行技術文献】
【特許文献】
【０００４】
【特許文献１】実用新案登録第３２３１７５９号公報
【考案の概要】
【考案が解決しようとする課題】
【０００５】
ところで、空手等の対面形式の武道競技を行う場合、競技者が不織布製やウレタン製等のマスクを着用すると、マスクが口や鼻の前面に密着しているため呼吸空間の確保が難しくなり、激しい動きを行うと息苦しくなって酸欠状態に陥りやすい。また、医療機関で使用されているようなフェイスシールドを着用すると、フェイスシールドのシートが首の当たりまで延出されているため、シート端部が胸部や肩、腕等に当たって競技動作に支障を来す状態に陥りやすい。
【０００６】
本考案の目的は、上記の事情に鑑みて創案されたものであり、空手等の武道競技に使用しても競技者が酸欠状態に陥るのを防止でき、競技動作に支障を来すことなく、飛沫感染を防止することができる飛沫防止具を提供することにある。
【０００７】
上記目的を達成するための本考案に係る飛沫防止具は、外鼻孔および口の周囲を覆って呼吸空間を区画形成するシールド部材と、上記シールド部材の両側面に後方下部に向けて形成された凸部と、上記凸部の延出端部に開口された通気孔と、上記シールド部材を顔面に装着固定するための結束部材と、を備えることを特徴とする。
【０００８】
上記構成によれば、シールド部材が外鼻孔および口の周囲を覆って呼吸空間を区画形成しているので、激しい動きを行っても競技者が酸欠状態に陥るのを防止することができ、競技動作に支障を来すことがない。また、シールド部材の両側面に後方下部に向けて延出された凸部が形成されており、凸部の延出端部には通気孔が開口されているので、シールド部材内で発生した飛沫をシールド部材の両側面に形成された凸部を通じて後方下部に導くことができる。
【０００９】
上記飛沫防止具の構成において、上記凸部は上記シールド部材の両側面に複数形成され、各凸部の延出端部には上記通気孔が開口されていることが好ましい。この構成によれば、シールド部材の両側面に通気孔を有する凸部が複数形成されているので、シールド部材内で発生した飛沫を複数の凸部を通じて後方下部に効率良く導くことができる。
【００１０】
また、上記凸部は上記シールド部材の両側面の前方上部から後方下部に向けて延出され、上記前方上部から上記後方下部に向けて、幅及び高さが順次拡大していることが好ましい。この構成によれば、シールド部材の両側面の前方上部から後方下部に向けて、凸部の幅及び高さが順次拡大しているので、シールド部材内で発生した飛沫を凸部の通気孔側へと効率良く導くことができる。
【００１１】
さらに、上記凸部内には、上記通気孔を塞ぎ、柔軟性及び通気性を有するフィルターが装着されることが好ましい。この構成によれば、凸部内に通気孔を塞ぎ、柔軟性及び通気性を有するフィルターが装着されており、凸部内に導かれた飛沫がフィルターによって吸湿保持されるので、飛沫の飛散を防止することができる。
【００１２】
そして、上記シールド部材の鼻接触部および顎接触部には、クッション部材が装着されることが好ましい。この構成によれば、シールド部材の鼻接触部および顎接触部にクッション部材が装着されるので、上記シールド部材に衝撃が加わっても、上記クション部材によって顔面への衝撃を緩和することができる。
【考案の効果】
【００１３】
本考案に係る飛沫防止具によれば、空手等の武道競技に使用しても酸欠状態に陥ることを防止でき、競技動作に支障を来すことなく、飛沫感染を防止することができる。
【図面の簡単な説明】
【００１４】
【図１】第１実施形態の飛沫防止具の概略図である。
【図２】第１実施形態の飛沫防止具のシールド部材の斜視図である。
【図３】第１実施形態の飛沫防止具のシールド部材の正面図である。
【図４】第１実施形態の飛沫防止具のシールド部材の左側面図である。
【図５】第１実施形態の飛沫防止具のシールド部材の背面図である。
【図６】第１実施形態の飛沫防止具の装着手順の説明図である。
【図７】第２実施形態の飛沫防止具の正面図である。
【考案を実施するための形態】
【００１５】
以下、図面を参照して、本考案に係る飛沫防止具の第１実施形態及び第２実施形態について説明する。図面において、同一又は類似の部材や部分には同一又は類似の符号を付している。また、図面は模式的に図示しており、実際の寸法や比率等とは必ずしも一致しない。さらに、図面相互間において、互いの寸法の関係や比率が異なる部分が含まれることがある。
〔第１実施形態〕
［飛沫防止具の構成］
【００１６】
まず、図１から図５を参照して、第１実施形態の飛沫防止具１００の構成について説明する。図１から図５に示すように、第１実施形態の飛沫防止具１００は、概ね、シールド部材１０、凸部２０、通気孔３０、及び結束部材６１，６２を備えている。以下、各構成要素ごとに説明する。
【００１７】
飛沫防止具１００の本体は、シールド部材１０によって構成されている。シールド部材１０は、外鼻孔および口の周囲を覆って呼吸空間を区画形成する部材である。具体的には、シールド部材１０は、外鼻孔を含む鼻背部位（鼻梁部位）及び口の周囲を覆う部材である。シールド部材１０は、十分な呼吸空間を確保するように前方に隆起して区画形成されたドーム状もしくは亀甲状の部材であり、前面側が凸状に形成され、裏面側が凹状に形成されている。
【００１８】
シールド部材１０は、熱可塑性樹脂（Thermoplastic resin）により構成されている。熱可塑性樹脂としては、例えば、熱可塑性ポリウレタン（TPU：Thermoplastic Polyurethane）、ポリ塩化ビニル（PVC：polyvinyl chloride）、ポリプロピレン（PP：polypropylene）、ポリエチレン（PE：polyethylene）、ポリアセタール（POM：Polyoxymethylene）、ポリイミド（PA：polyimide）、ポリカーボネート（PC：polycarbonate）、ポリエーテルエーテルケトン（PEEK：Poly Ether Ether Ketone）、ポリアミドイミド（PAI：Polyamide-imide）、及びポリフェニレンサルファイド（PPS：Poly Phenylene Sulfide）等が挙げられる。熱可塑性樹脂の中でも、特に熱可塑性ポリウレタンは、ゴムのような弾力性と、硬質プラスチックのような強靭性を合わせ持つので、本実施形態のシールド部材１０として適している。
【００１９】
本実施形態のシールド部材１０は、無色透明な樹脂部材により形成されることが好ましい。シールド部材１０が無色透明な樹脂部材により形成されることにより、競技者の視界を遮ることがなく、競技者の表情を観察することができ、さらにシールド部材１０内の呼気中の湿気による曇り状況を観察することができる。これに限定されず、シールド部材１０は有色透明な樹脂部材により形成されていても構わない。
【００２０】
シールド部材１０の周縁部には、顔面に接触する当接縁部１１が形成されている。当接縁部１１は、シールド部材１０の周縁部を顔面に沿うように径方向外方へ屈曲させて形成され、鼻背部位（鼻梁部位）及び口の周囲に接触して密着性を確保するようになっている。
【００２１】
シールド部材１０の当接縁部１１の上下に位置する鼻接触部と顎接触部には、クッション部材５０が装着されている。当接縁部１１の鼻接触部と顎接触部にクッション部材５０を装着することにより、シールド部材１０に衝撃が加わっても顔面への衝撃を緩和することができる。また、当接縁部１１の鼻接触部と顎接触部にクッション部材５０を装着することにより、顔面形状の個人差を調整することができる。クッション部材５０としては、例えば、発泡ウレタン (URE：urethane)、発泡ポリイミド（PA：polyimide）、発泡ポリエステル（Pes：polyester）等のスポンジ（多孔質部材）を採用することが好ましい。特に発泡ウレタン製のスポンジは、柔軟性を有するため顔面への衝撃を緩和することができ、顔面形状の個人差を調整しやすい。
【００２２】
シールド部材１０の両側面には、複数の凸部２０が形成されている。各凸部２０は、シールド部材１０の両側面から隆起するように形成され、凸部２０の外面は凸状に形成されると共に、内面は凹状に形成されている。各凸部２０は、シールド部材１０の両側面の前方上部から後方下部に向けて延出されている。各凸部２０は楔のような形状を呈しており、シールド部材１０の両側面の前方上部から後方下部に向けて、凸部２０の幅及び高さが順次拡大するように形成されている。
【００２３】
図４及び図５に示すように、通気孔３０は、各凸部２０の延出端部に外部に臨んで開口されている。具体的には、図５の背面図に示すように、凸部２０の延出側端部をシールド部材１０の内面側において円弧状の隔壁部１２が凸部２０の延出端部を覆うことにより、シールド部材１０の外面側において凸部２０の通気孔３０が開口されている。本実施形態の隔壁部１２は、シールド部材１０と一体的に形成されている。
【００２４】
各凸部２０はシールド部材１０の両側面の前方上部から後方下部に向けて延出されているので、通気孔３０は後方下部方向へ向けて開口されている。したがって、複数の凸部２０により、シールド部材２０内に発生した飛沫を顔面両側面の後方下部へと導くことができる。また、各凸部２０の幅及び高さは、シールド部材１０の両側面の前方上部から後方下部に向けて順次拡大するように形成されているので、凸部２０の形状によりシールド部材２０内に発生した飛沫を凸部２０の通気孔３０側へ向けて効率良く導くことができる。
【００２５】
各凸部２０内には、柔軟性及び通気性を有するフィルター４０が装着され、通気孔３０を塞いでいる。柔軟性及び通気性を有するフィルター４０としては、例えば、発泡ウレタン (URE：urethane)、発泡ポリイミド（PA：polyimide）、発泡ポリエステル（Pes：polyester）等のスポンジ（多孔質部材）を採用することが好ましい。また、本実施形態のフィルター４０は円柱状に成形されており、当該フィルター４０を指で押し潰して凸部２０内に挿入すると、その柔軟性による復元力によりフィルター４０は楔状の凸部２０内に保持される。上記隔壁部１２は、フィルター４０の保持部材としても機能する。また、フィルター４０は多孔質部材であるので、凸部２０内に誘導される飛沫を吸湿保持させることができる。
【００２６】
再び、図１から図５を参照して、結束部材６１，６２は、顔面の下半部分にシールド部材１０を装着固定するための部材である。第１実施形態では、シールド部材１０の上下方向の中間両側部と下方両側部とに二対の結束部材６１（６１a，６１ｂ）と６２（６２ａ，６２ｂ）とが取り付けられている。中間両側部の結束部材６１a，６１ｂは、例えば、熱可塑性ポリウレタン製のテープ部材により形成されている。中間両側部の結束部材６１a，６１ｂは、耳上から後頭部に保持する部材である。中間両側部の結束部材６１a，６１ｂの基端部は、シールド部材１０の当接縁部１１に凸設された固着部材７１ａ，７１ｂ内に固着されている。中間両側部の結束部材６１a，６１ｂの先端側には、長さを調整するためのアジャスタ６３が取り付けられている。
【００２７】
下方両側部の結束部材６２a，６２ｂは、例えば、伸縮性を有するウレンタン製紐部材により形成されている。下方両側部の結束部材６２a，６２ｂは、首後部に装着するための部材である。下方両側部の結束部材６２a，６２ｂの基端部は、シールド部材１０の当接縁部１１に凸設された固着部材７２ａ，７２ｂ内に固着されている。下方両側部の結束部材６２a，６２ｂの先端側には、長さを調整するためのアジャスタ６４が取り付けられている。
【００２８】
［飛沫防止具の作用］
まず、図６を参照して、第１実施形態の飛沫防止具１００の装着手順について説明する。
図６に示すように、アジャスタ６４により、下方両側部の結束部材（ウレンタン製紐部材）６２a，６２ｂの輪の大きさを頭が通る位まで調整する（Ｓ１）。次に、下方両側部の結束部材（ウレンタン製紐部材）６２a，６２ｂの輪の中に頭を通し、当該結束部材（ウレンタン製紐部材）６２a，６２ｂを首後部まで降ろす（Ｓ２）。その後、片手でシールド部材１０を鼻背部位（鼻梁部位）及び口の周囲を覆うように押し当てる（Ｓ３）。次に、頭の上から中間両側部の結束部材（熱可塑性ポリウレタン製テープ部材）６１a，６１ｂを耳の上まで下ろす（Ｓ４）。そして、この結束部材６１a，６１ｂの両端部を引っ張って、アジャスタ６３により当該結束部材６１a，６１ｂの輪の大きさを調整し、後頭部にフィットさせる（Ｓ５）。最後に、下方両側部の結束部材（ウレンタン製紐部材）６２a，６２ｂの両端部を引っ張って、アジャスタ６４により当該結束部材６２a，６２ｂの輪の大きさを調整し、首後部にフィットさせる（Ｓ６）。
【００２９】
図１から図５を参照して、本実施形態のシールド部材１０は、シールド部材１０が外鼻孔および口の周囲を覆って呼吸空間を確保しているので、空手道のような激しい動きを行っても酸欠状態に陥るのを防止することができ、競技動作に支障を来すことがない。本実施形態のシールド部材１０は無色透明な樹脂部材により形成されているので、競技者の視界を遮ることがなく、競技者の表情を観察することができ、さらにシールド部材１０内の呼気中の湿気による曇り状況を観察することができる。
【００３０】
また、シールド部材１０の両側面に後方下部に向けて延出された凸部２０が形成されており、この凸部２０の延出端部には通気孔３０が開口されているので、シールド部材１０内で発生した飛沫をシールド部材１０の両側面に形成された凸部２０を通じて後方下部に導くことができる。この通気孔３０の存在により、シールド部材１０内での呼吸状態を維持することができる。
【００３１】
さらに、凸部２０はシールド部材１０の両側面に複数形成され、各凸部２０の延出端部には通気孔３０が開口されているので、シールド部材１０内で発生した飛沫を複数の凸部２０を通じて後方下部に効率良く導くことができる。複数の通気孔３０の存在により、シールド部材１０内での安定した呼吸状態を維持することができる。
【００３２】
そして、凸部２０はシールド部材１０の両側面の前方上部から後方下部に向けて延出され、前方上部から後方下部に向けて、幅及び高さが順次拡大しているので、シールド部材１０内で発生した飛沫を凸部２０の通気孔３０へと効率良く導くことができる。
【００３３】
加えて、各凸部２０内には、通気孔３０を塞ぎ、柔軟性及び通気性を有する多孔質部材によって形成されたフィルター４０が装着されている。各凸部２０内へと導かれた飛沫は多孔質部材のフィルター４０によって吸湿保持されるので、飛沫の飛散を確実に防止することができる。また、フィルター４０は多孔質部材であるので、飛沫を吸着してもシールド部材１０内での呼吸は確保することができる。フィルター４０の飛沫吸湿度合が高い場合には、当該フィルター４０を取り替えればよく、取り替えも容易に行うことができる。
【００３４】
また、シールド部材１０の鼻接触部および顎接触部にクッション部材５０が装着されることにより、競技中にシールド部材１０に衝撃が加わっても、当該クッション部材５０の柔軟性により衝撃を緩和して装着者の安全性を確保することができる。また、クッション部材５０により、顔面形状の個人差を調整することができる。さらに、クッション部材５０は通気性を有するので、シールド部材１０内の息苦しさをある程度緩和することができる。本実施形態のシールド部材１０は熱可塑性ポリウレタンにより構成されており、熱可塑性ポリウレタンはゴムのような弾力性と、硬質プラスチックのような強靭性を合わせ持つので、衝撃が加わって変形しても元の形状が復元されやすい。
【００３５】
以上説明したように、本実施形態の飛沫防止具１００によれば、空手道等の武道競技に使用しても競技者が酸欠状態に陥ることを防止でき、競技動作に支障を来すことなく、飛沫感染を防止することができるという優れた効果を奏する。
【００３６】
〔第２実施形態〕
次に、図７を参照して、第２実施形態の飛沫防止具２００について説明する。図７において、第１実施形態と同一の構成要素には同一の符号を付して説明する。
【００３７】
図７及び図８に示すように、第２実施形態の飛沫防止具２００は、中間両側部の結束部材２６１の構成部材及び取付構造が第１実施形態と異なり、その他の構成要素は第１実施形態と同様に構成されている。
【００３８】
第２実施形態では、中間両側部の結束部材２６１が一本のシリコン樹脂ベルトによって構成されている。シリコン樹脂ベルトは、柔軟性及び密着性に優れているため、安定した装着感を得ることができるという有利な効果を奏する。
【００３９】
シールド部材１０の当接縁部１１の中間両側部には、シリコン樹脂製の中間両側部の結束部材２６１の両端部を挿通させるためのスリット状の挿通孔２１３ａ,２１３ｂが形成されている。中間両側部の結束部材２６１の両端部はシールド部材１０の裏面側から挿通孔２１３ａ,２１３ｂに挿通され、シールド部材１０の表面側に突き出した端部を後方へ折り返されている。そして、中間両側部の結束部材２６１の両端の折り返し部には、結束部材２６１同士の重なりを結束調整するアジャスタ２６５ａ，２６５ｂが取り付けられている。シールド部材１０を顔面に押し当てて、中間両側部の結束部材２６１の輪の中に頭部を通過させた状態で当該結束部材２６１の両端部を引っ張れば、当該結束部材２６１の輪の大きさが調整され、後頭部にフィットするようになっている。
【００４０】
第２実施形態の飛沫防止具２００によれば、中間両側部の結束部材２６１a，２６１ｂがフィット感に優れており、安定した装着感を得ることができるという有利な効果を奏する。
【００４１】
〔その他の実施形態〕
以上、本考案の好適な実施形態を説明したが、上記実施形態は本考案の説明のための例示であり、本考案の範囲を上記実施形態にのみ限定する趣旨ではない。本考案は、その要旨を逸脱しない範囲で、上記実施形態とは異なる種々の態様で実施することができる。
【００４２】
例えば、第１及び第２実施形態では、シールド部材１０に凸部２０を左右３箇所に設けているが、凸部２０の数は例示あって、適宜変更することができる。また、第１及び第２実施形態では、シールド部材１０がドーム状もしくは甲羅状を呈しているが、呼吸空間を区画形成することができれば、その他の形状に形成してもよい。
【００４３】
さらに、第１及び第２実施形態では、クッション部材５０が発泡ウレタン等のスポンジにより構成されているが、例えば、シリコン樹脂により構成してもよい。クッション部材５０をシリコン樹脂で形成することにより、鼻部及び顎部に安定した装着感を得ることができるという有利な効果を奏する。
【産業上の利用可能性】
【００４４】
本考案に係る飛沫防止具は、空手道や合気道、柔道等の武道競技における使用に適するが、その他の運動競技や、工事現場、医療現場での使用にも適している。
【符号の説明】
【００４５】
１０…シールド部材、
１１…当接縁部、
２０…凸部、
３０…通気孔、
４０…フィルター、
５０…クッション部材、
６１ａ，６１ｂ、６２ａ，６２ｂ、２６１…結束部材、
１００、２００…飛沫防止具。
【図１】
0003234736.tif 000003
【図２】
0003234736.tif 000004
【図３】
0003234736.tif 000005
【図４】
0003234736.tif 000006
【図５】
0003234736.tif 000007
【図６】
0003234736.tif 000008
【図７】
0003234736.tif 000009